(57)【要約】      （修正有）【課題】握力が弱い人や手に力が入りにくい人でもゴルフクラブのグリップや作業道具の柄などをしっかりと握れることができるグローブを提供する。【解決方法】グローブ本体１の甲側に一端を固着若しくは係着させた伸縮帯状部材３を備え、伸縮帯状部材の他端には第１の面ファスナー部２ａが設けられ、グローブ本体の親指の付け根側面には第２の面ファスナー部２ｂが設けられた構成とする。グローブを手に嵌めてグリップを握った状態で、伸縮帯状部材がグローブ本体の甲側（手の甲側）から小指・薬指ないしは小指・薬指・中指・人指し指を通るように伸縮帯状部材で巻き込み、親指の付け根にある面ファスナー部により伸縮帯状部材を固定でき、伸縮帯状部材による締め付けを握力の代わりとしてグリップを力強く握った状態を生み出すことができる。【選択図】図１
0003148761.tif 000002
【実用新案登録請求の範囲】
【請求項１】
グローブ本体の甲側に一端を固着若しくは係着させた伸縮帯状部材を備え、前記伸縮帯状部材の他端には第１の面ファスナー部が設けられ、前記グローブ本体の親指の付け根側面には第２の面ファスナー部が設けられたことを特徴とするグローブ。
【請求項２】
前記グローブ本体の甲側には第３の面ファスナー部が設けられ、前記伸縮帯状部材の一端には第４の面ファスナー部が設けられ、前記グローブ本体と前記伸縮帯状部材が分離できることを特徴とする請求項１に記載のグローブ。
【請求項３】
前記伸縮帯状部材の幅は、親指を除く指２本〜指４本の幅であることを特徴とする請求項１又は２に記載のグローブ。
【請求項４】
前記伸縮帯状部材の幅は、３〜１２ｃｍであることを特徴とする請求項１又は２に記載のグローブ。
【考案の詳細な説明】
【技術分野】
【０００１】
ゴルフやアイスホッケーなどスポーツにおいて、ゴルフクラブやスティックのグリップを握る際に、また、工事現場や工場において、作業道具や資材を取扱う際に、握力のない人や手に力が入りにくい人でもゴルフクラブや作業道具等をしっかり握ることができるグローブに関するものである。
【背景技術】
【０００２】
従来から、ゴルフクラブのグリップを握る際、握力が弱い人や手に力が入りにくい人は、グリップを離さないように、また、ずれやブレを生じないように、しっかりと握り締めることが困難である。また、握力が弱かったり、手に力が入りにくいことから、ゴルフクラブを思い切り振ることができず、ゴルフを楽しむことが難しい状況である。握力が弱い人や、手に障害があり、手に力が入りにくい人でもゴルフクラブを思い切り振れるようにすることで、より大勢の人がゴルフを楽しめる。
【０００３】
このため、ゴルフグローブに関して、インパクトからフォロースルーの際に、グリップの握りがずれるのを防止し、グリップの握り方を矯正するようなゴルフグローブが考案されていた（例えば、特許文献１を参照。）。これは、中指、薬指、小指の部分に段差を付けて接合しておき、グリップを握る際にグローブの形が握りやすいように作られているものであった。このグローブでは握る形を補助することはできても、グリップを強く握ることに対しての対策は成されておらず、握力が弱い人や手に力が入りにくい人が使った場合にグリップをしっかり握ることができるといった効果は無かった。
【０００４】
上記の他にも、例えば工事現場や工場において、作業道具や資材を取扱う際、握力のない人や手に力が入りにくい人が取扱う場合には、作業道具や資材をしっかりと握れず作業の効率が悪かったり、また、高所での作業や高所での運搬の際、作業道具や資材を落下させるといった危険性があった。
【０００５】
【特許文献１】特開２００３−２９０４１２号公報
【考案の開示】
【考案が解決しようとする課題】
【０００６】
上記の状況に鑑みて、本考案は、握力が弱い人や手に力が入りにくい人でもゴルフクラブのグリップや作業道具の柄などをしっかりと握れることができるグローブを提供することを目的とする。
【課題を解決するための手段】
【０００７】
本考案者は、ゴルフクラブや作業道具となる金槌などを握る際に嵌める軍手や手袋などのグローブに対して、グリップや柄を握った形でグローブごとゴムバンドにより絞めつけることで、握力が弱い人や、手に力の入らない人でもゴルフクラブを強く握った状態を作り出せることに着眼し、試行錯誤の上、以下の構成のグローブを開発したものである。
【０００８】
上記課題に鑑み、本考案に係るグローブは、グローブ本体の甲側に一端を固着若しくは係着させた伸縮帯状部材を備え、伸縮帯状部材の他端には第１の面ファスナー部が設けられ、グローブ本体の親指の付け根側面には第２の面ファスナー部が設けられた構成とされる。
【０００９】
かかる構成とすれば、グローブを手に嵌めてグリップを握った状態で、伸縮帯状部材がグローブ本体の甲側（手の甲側）から小指・薬指ないしは小指・薬指・中指・人指し指を通るように伸縮帯状部材で巻き込み、親指の付け根にある面ファスナー部により伸縮帯状部材を固定でき、伸縮帯状部材による締め付けを握力の代わりとしてグリップを力強く握った状態を生み出すことが可能となる。
【００１０】
これにより、握力が弱い人や手に力の入らない人でも、グリップを強く握った状態を疑似的に作り出すことができ、グリップを思うように握ることができる。
【００１１】
ここで、伸縮帯状部材とは、伸縮性のあつ帯状のものであり、例えばゴムバンドである。また、伸縮帯状部材の一端をグローブ本体の甲側に固着させるとは、伸縮帯状部材の一端をグローブ本体に縫い付けたり、接着剤で接着させたり、グローブと一体成型することをいう。また、伸縮帯状部材の一端をグローブ本体の甲側に係着させるとは、例えば面ファスナーを用いて伸縮帯状部材とグローブ本体を接合させることをいう。
【００１２】
また、上記考案のグロープのグローブ本体の甲側には、第３の面ファスナー部が設けられ、伸縮帯状部材の一端には第４の面ファスナー部が設けられ、グローブ本体と伸縮帯状部材が分離できる構成とされることが好ましい。グローブ本体と伸縮帯状部材が分離できることで、疲労等により握力が弱くなってきた場合にのみ、グローブ本体に伸縮帯状部材を取付け、普段はグローブ本体から伸縮帯状部材を取外すことが可能となり、利便性が向上するからである。
【００１３】
本考案においては、伸縮帯状部材の幅は、親指を除く指２本〜指４本の幅であることが好適である。具体的には、伸縮帯状部材の幅は、３〜１２ｃｍである。これは、ゴルフクラブや作業道具、資材など取扱う対象によって、伸縮帯状部材で巻き込み、締め付ける指が異なるからである。例えば、ゴルフクラブの場合、小指・薬指で十分であるが、作業道具や資材などの場合は、小指・薬指・中指・人指し指を通る範囲で伸縮帯状部材を巻きつけることになる。
【考案の効果】
【００１４】
本考案に係るグローブによれば、握力が弱い人や手に力が入りにくい人でもゴルフクラブのグリップや作業道具の柄などをしっかりと握れることができるといった効果がある。本考案によれば、ゴルフクラブや作業道具を力強く握るのが困難な人であっても、ゴムバンドなどの伸縮帯状部材の力でゴルフクラブなどを強く握った状態を疑似的に作り出せる。
【００１５】
このため、もともと握力のない人や、指などに障害のある人、競技中に故障をしてしまい手に力が入らなくなってしまった人などのように、グリップを思うように握れない人でも、本考案のグローブを使用することで、ゴルフクラブのグリップや作業道具の柄を握る力が増強されて、健常者と同じ様にゴルフのスイングや現場作業ができるようになる。
また、健常者が使用した場合でも、よりグリップの握る力が増強され、ゴルフクラブのスイングや現場作業をよりスムーズに行うことができるようになる。
【考案を実施するための最良の形態】
【００１６】
以下、本考案の実施形態について、図面を参照しながら詳細に説明していく。
【実施例１】
【００１７】
以下、本考案の第１の実施形態について説明する。
本考案のゴルフグローブ１には、図１および図２に示すように、伸縮帯状部材であるゴムバンド３を手の甲に縫い付けてある。
ゴムバンド３の先端掌側には、面ファスナー２ａが備えられており、ゴルフグローブ１の親指側にも面ファスナー２ｂが備えられている。面ファスナーは、具体的にはマジックテープ（登録商標）を用いているがこれに限定されるものではない。
【００１８】
ゴルフグローブ１使用時は、この二つの面ファスナー（２ａ，２ｂ）同士をくっつけてゴムバンド３で手にゴルフクラブのグリップを固定することになる。
ゴルフグローブ１の本体には特別な工夫は施されておらず、主にゴムバンド３を巻きつけることによって、ゴルフクラブを強く握った状態を疑似的に作り出し、握力の弱いためグリップを思うように握れない人のグリップを握る力を増強させるのである。
【００１９】
ゴルフグローブ１の使用時は、ゴルフクラブのグリップ１０を自分の任意の位置に固定するが、ゴムバンド３で止めた後はあまり動かすことはできない。
従って、図３に示すように固定前にグリップ１０の位置を決める。
【００２０】
次に、ゴムバンド３の先端の面ファスナー２ａの部分を引っ張り、中指、薬指、小指を巻き込むように親指付け根部分の面ファスナー２ｂへ面ファスナー２ａをくっつける（図４を参照）。この状態のままスイングすることで、握力のない人や手に力が入りにくい人でもゴルフクラブがすっぽ抜けたりすることなく思い切りスイングできることになる（図５を参照）。
【実施例２】
【００２１】
以下、本考案の第２の実施形態について図６を用いて説明する。
本考案の第２の実施形態であるゴルフグローブ１は、実施例１のゴルフグローブ１において、ゴムバンド３を縫いつけてある部分を面ファスナー２ｃ、２ｄとしてゴムバンド３を取り外し可能（脱着可能）にしてある。ゴムバンド３を取り外し可能にすることによって、通常のゴルフグローブとしても使用できる。疲労等により握力が弱くなってきた場合にのみ、グローブ本体に伸縮帯状部材を取付け、普段はグローブ本体から伸縮帯状部材を取外すことができるのである。
【産業上の利用可能性】
【００２２】
ゴルフクラブを握るためのグローブ、アイスホッケーのスティックを握るためのグローブ、飛び職などが作業現場で用いる軍手などスポーツ、レジャーから広く産業用途に利用できる。
【図面の簡単な説明】
【００２３】
【図１】グローブ掌図
【図２】グローブ甲図
【図３】使用例図１
【図４】使用例図２
【図５】使用例図３
【図６】実施例２の説明図
【符号の説明】
【００２４】
１    ・・・ゴルフグローブ
２ａ，２ｂ，２ｃ，２ｄ  ・・・マジックテープ（登録商標）
３    ・・・ゴムバンド
１０  ・・・グリップ
【図１】
0003148761.tif 000003
【図２】
0003148761.tif 000004
【図３】
0003148761.tif 000005
【図４】
0003148761.tif 000006
【図５】
0003148761.tif 000007
【図６】
0003148761.tif 000008